(57)【要約】【課題】  携帯電話等の携帯機器に装着するストラップであって、体裁よく装着しておくことができると共に携帯機器本体や表示画面等に付着した汚れを綺麗に拭い取ることができる払拭用布地を備えたストラップを提供する。【解決手段】  ストラップ紐１の下端に連結具２を介して伸縮性を有する布地からなる小袋３を着脱自在に連結し、この小袋３にハンカチ形状の払拭用布地４を収束状態にして収納してあり、通常は小袋３をアクセサリーとしたストラップとして使用し、携帯機器の本体や表示画面が汚れた際には、小袋３から払拭用布地４を引き出して拡げ、この払拭用布地４によって汚れを拭いとり、拭い取る後には、再び、払拭用布地４を小袋３内に収納するように構成している。【選択図】    図１
2013128653.tif 000002
【特許請求の範囲】
【請求項１】
ストラップ紐に、ハンカチ形状の払拭用布地を収束状態にして出し入れ可能に収納した小袋を吊り下げていることを特徴とする携帯機器用ストラップ。
【請求項２】
小袋はその底部を上向きにして該底部をストラップ紐の下端に連結具を介して取付けられてあり、下向きに開口した開口部から小袋内の払拭用布地を引き出すように構成していることを特徴とする請求項１に記載の携帯機器用ストラップ。
【請求項３】
小袋を伸縮性を有する生地から縫製していると共に、上向きにしているこの小袋の底部に小径環部を設けてこの小径環部をストラップ紐の下端に取付けている連結具に着脱自在に連結していることを特徴とする請求項１又は請求項２に記載の携帯機器用ストラップ。
【請求項４】
払拭用布地の上端部を小袋の内底部に一体に縫着していることを特徴とする請求項１、請求項２又は請求項３に記載の携帯機器用ストラップ。
【発明の詳細な説明】
【技術分野】
【０００１】
本発明は、携帯電話や携帯用ゲーム機、或いはカメラ等の携帯機器に装着するストラップ、特に、携帯機器の本体や表示画面等に付着した汚れを払拭することができる布地を備えたストラップに関するものである。
【背景技術】
【０００２】
従来から携帯機器、例えば、携帯電話を使用する際に、携帯電話の本体や表示画面に手や指先が触れるため指紋や手垢等が付着して汚れが生じる上に、通話時には顔にも密着させるので皮膚表面の脂が表示画面等に付着して汚れが目立つばかりでなく、表示画面に表示される文字や画像等が不明瞭となって読み取り難くなる。特に、近年、広く使用されているスマートフォン（多機能携帯電話）においては、表示画面に表示されるアイコンや画像等を指先で操作したり、通話を行う際に表示画面を頬に押しつけた状態にして通話を行うために汗や脂が付着し易く、また、不使用時においても表示画面が露呈しているために本体や表示画面に埃が付着して短期間で汚損されることになる。
【０００３】
このため、特許文献１や特許文献２に記載されているように、ストラップ紐の下端に不織布や合成繊維等よりなる払拭用布地を着脱可能に取付けてなるストラップや、特許文献３に記載されているように、ストラップ紐から吊り下げているアクセサリーやマスコットを払拭用布地布地によって形成してなるストラップが考案されている。
【先行技術文献】
【特許文献】
【０００４】
【特許文献１】実用新案登録第３０８７３０８号公報
【特許文献２】実用新案登録第３０７４７８４号公報
【特許文献３】特開２００１−９５６１８号公報
【発明の開示】
【発明が解決しようとする課題】
【０００５】
しかしながら、ストラップ紐の下端に払拭用布地を取付ているストラップにおいては、払拭用布地が携帯電話等から下方に大きく垂下した状態となって体裁が悪く、且つ、携行に不便であって、アクサセリーとしての機能を殆ど果たすことができないばかりでなく、携帯電話等の本体や表示画面を払拭した後にストラップを衣服のポケットや鞄等に収納すると、払拭用布地に付着している汚れや埃等がポケットや鞄の内面に転着してポケット等を汚すといった問題点がある。
【０００６】
一方、払拭用布地によってアクセサリーやマスコットを形成している場合には体裁よく携行することができるが、払拭面積が極めて少ないために直ぐに汚損してしまい、汚れが目立ってアクセサリーとしての役目を果たすことができなくなるばかりでなく、このストラップにおいても、払拭用布地からなるアクセサリーに付着している汚れ等が衣服や鞄に転着して衣服等を汚すといった問題点があると共に、上記ストラップ紐の下端に取付けている払拭用布地と同様に常に外部に露呈しているため、短期間で汚損してしまうといった問題点がある。
【０００７】
本発明はこのような問題点に鑑みてなされたもので、その目的とするところは、携帯電話や携帯用ゲーム機、カメラ等の携帯機器の本体や表示画面に付着した汚れを何回も手軽に且つ綺麗に拭い取ることができる払拭用布地を備えているにもかかわらず、払拭後においては、該払拭用布地に付着している汚れ等によって衣服や鞄等を汚損することなく収納しておくことができ、さらに、アクセサリーやマスコットの機能を奏して携帯機器に体裁よく、且つ、コンパクトに装着しておくことができる携帯機器用ストラップを提供するにある。
【課題を解決するための手段】
【０００８】
上記目的を達成するために本発明の携帯機器用ストラップは、請求項１に記載したように、ストラップ紐に、ハンカチ形状の払拭用布地を収束状態にして出し入れ可能に収納した小袋を吊り下げていることを特徴とする。
【０００９】
このように構成した携帯機器用ストラップにおいて、請求項２に係る発明は、上記小袋を、その底部を上向きにしてストラップ紐の下端に連結具を介して取付けてあり、下向きに開口した開口部から小袋内の払拭用布地を引き出すように構成していることを特徴としている。
【００１０】
さらに、請求項３に係る発明は、上記小袋を伸縮性を有する生地から縫製していると共に、上向きにしているこの小袋の底部に小径環部を設けてこの小径環部をストラップ紐の下端に取付けている連結具に着脱自在に連結していることを特徴とする。
【００１１】
また、請求項４に係る発明は、小袋内に出し入れ可能に収納している上記払拭用布地の上端部を小袋の内底部に一体に縫着していることを特徴とする。
【発明の効果】
【００１２】
請求項１に係る発明によれば、ストラップ紐に小袋を吊り下げ、この小袋内にハンカチ形状の払拭用布地を収束状態にして出し入れ可能に収納しているので、ストラップ紐を携帯電話等の携帯機器に装着することにより、払拭用布地を収納している小袋がアクセサリーの機能を発揮して体裁よく携行できると共にこの小袋の表面に文字や模様等を印刷しておくことによって宣伝効果や意匠的にも優れた外観を呈したストラップを提供することができる。
【００１３】
さらに、携帯機器の本体や表示画面等が汚れた場合には、小袋内から払拭用布地を引き出せばハンカチ形状に大きく展開させることができ、この状態にして汚れた個所を全面的に綺麗に拭き取ることができると共にハンカチ形状に拡げた布地の面積が比較的大きいから何回も拭き取りに使用することができる。その上、拭き取り後においては、この払拭用布地を縮めて収束した状態にしながら小袋内に押し込むことにより簡単に収納することができ、従って、払拭用布地自体に埃等が付着するのを防止することができると共に小袋によって体裁のよい外観を保持しておくことができるものであり、さらに、このストラップを装着している携帯機器を衣服のポケットや鞄内に入れても、払拭用布地に付着している汚れ等がポケットや鞄の内面等に付着する虞れもなく、常に清潔な状態を保つことができる。
【００１４】
また、請求項２に係る発明によれば、払拭用布地を小さく縮めて収納している小袋を、その底部を上向きにしてストラップ紐の下端に連結具を介して取付けてあり、下向きに開口した開口部から小袋内の払拭用布地を引き出すように構成しているので、このストラップを装着している携帯機器の汚れを払拭用布地によって拭き取る際に、一方の手で携帯機器を把持した状態で他方の手の指先を下向きに開口している小袋の開口端内に挿入して払拭用布地の下端部を摘まみ、この状態から払拭用布地をストラップの延長方向に下方に引っ張れば、払拭用布地を簡単に小袋から引き出すことができ、引き出した払拭用布地をハンカチ形状に大きく展開させて携帯機器に付着している汚れの拭き取りに使用することができる。そして、使用後においては、払拭用布地を縮めながら小袋の開口端から小袋内に押し込むことによって払拭用布地全体を容易に小袋内に納めることができる。
【００１５】
さらに、請求項３に係る発明によれば、上記小袋を伸縮性を有する生地を縫製することによって形成しているので、ハンカチ形状の払拭用布地を縮小させてこの小袋内に押し込めば、小袋が袋胴体部を膨張させながら払拭用布地を容易に受け入れて払拭用布地を小袋内に簡単に収納することができると共に、収納後においては小袋の弾性収縮力によって払拭用布地を圧締め状態に保持することでき、従って、常時開口している小袋の開口端が下向きにしているにもかかわらず、その開口端から払拭用布地が不測に垂下するようなことはなく、払拭用布地を外部から見えないように安定した状態で収納した体裁のよいストラップを提供することができる。
【００１６】
その上、上向きにしているこの小袋の底部に小径環部を設けてこの小径環部をストラップ紐の下端に取付けている連結具に着脱自在に連結しているので、連結金具から小径環部を取り外すことによって払拭用布地を収納した小袋をストラップ紐から容易に分離させることができ、汚れた払拭用布地を布製の小袋と共に洗濯することができる。
【００１７】
また、請求項４に係る発明によれば、小袋内に出し入れ可能に収納している上記払拭用布地の上端部を小袋の内底部に一体に縫着しているので、拭き取りに使用した払拭用布地が紛失するような事態を生じさせることなく、常に、小袋に一体に設けておくことができると共に、小袋内からの払拭用布地の引き出しや小袋内への収納が円滑に行うことができる。
【図面の簡単な説明】
【００１８】
【図１】本発明携帯機器用ストラップの一部切欠正面図。
【図２】小袋から払拭用布地を引き出した状態の簡略斜視図。
【図３】その縦断側面図。
【図４】スマートフォンに装着した状態の斜視図。
【図５】小袋から払拭用布地の引き出し開始時の状態を示す斜視図。
【図６】払拭用布地によって汚れを拭き取っている状態の斜視図。
【発明を実施するための形態】
【００１９】
本発明の具体的な実施の形態を図面について説明すると、図１〜図３において、ストラップＡはストラップ紐１と、このストラップ紐１の下端に取り付けた連結具２と、連結具２にその上端部を着脱自在に取付けた小袋３と、この小袋３内に出し入れ可能に収納している払拭用布地４とから構成している。
【００２０】
ストラップ紐１は、縦長環状に形成されていてその上端部を図４〜図６に示すように、多機能携帯電話であるスマートフォン（以下、単に携帯電話Ｂという）に設けている取付穴ｂに取り外し可能に装着するようにしてあり、このストラップ紐１の下端に取付けている連結具２は、ストラップ紐１の下端に固着している小径筒状の固定片2aと、この固定片2aの下端部に取付けている小径のリング片2bと、このリング片2bに吊支された状態に連結しているフック金具片2cと、フック金具片2cの開口端を開閉するレバー片2dとから構成されているが、このような構成に限定されることなく、要するに、小袋３を取り外し可能に吊り下げるように構成していれば本発明を満足させることができる。
【００２１】
小袋３は、払拭用布地４を縦横に皺寄せながら収束状態に縮小させて収納できる大きさの矩形状袋に形成されてあり、軟質合成樹脂シート片よりなる小袋であってもよいが、伸縮性を有する生地から形成しておくことが好ましい。具体的には、伸縮性生地から小袋３の胴部となる矩形状の表裏片を裁断し、この表裏片を重ね合わせた状態にして長辺側の端部同士を縫着5aすると共に一方の短辺側の端部同士も縫着5bすることによって、縫着していない他方の短辺側の対向端部を開口部3aとし、縫着5bされた上記一方の短辺側の端部を底部とした正面矩形状の小袋３に縫製されている。
【００２２】
さらに、この小袋３の底部における幅方向の中央に短い紐を湾曲させてなる小径環部６を縫着することによって取付けてあり、この小径環部６を上記連結具２のフック金具片2bにレバー片2d開閉させることによって取り外し可能に掛止させることによって小袋３をストラップ紐１の下端に連結具２を介してつり下げるように構成している。なお、この小袋３は、生地の色彩、模様によって体裁のよい外観を呈するように構成しておいてもよいが、その表面に適宜な文字や図柄模様等を印刷しておいてもよい。
【００２３】
払拭用布地４は、汚れを拭き取ることができる生地であれば織布、不織布、パイル地、等のいずれ布地からなるものであってもよいが、眼鏡やカメラレンズ拭きとして採用されている化学繊維からなるワイピングクロスからなるものを採用することが好ましい。この払拭用布地４はハンカチ形状に形成されていると共にその大きさは通常のハンカチと略同じ大きさか、一回り小さい大きさに形成されてあり、その一つの隅角部を小袋３の上向きにしている底部の内面、即ち、内底部に一体に縫着して小袋３から払拭用布地４を引き出しても払拭用布地４が小袋３から分離しないように構成している。
【００２４】
このように構成したストラップＡの使用態様を説明すると、払拭用布地４は不使用時には小袋３内に小さく折り畳んだ状態にして、或いは、折り畳むことなく縦横にランダムに皺寄せて縮小させることにより収束した状態にして収納している。この状態においては、払拭用布地４は外部に露出することなく、この払拭用布地４を収納した小袋３はストラップ紐１から連結具２を介してつり下げられる一方、ストラップ紐１の上端部は携帯電話Ｂに設けている取付穴ｂに挿着等によって取付けてあり、この状態にして携行する。
【００２５】
小袋３は、払拭用布地４の出し入れ口となる開口部3aが常時開口しているにもかかわらず、その開口部3aを下向きにしてストラップ紐１からつり下げているので、外部からはこの小袋３内に収納している払拭用布地４が見え難くて体裁よく携行することができると共に、小袋３内に押し込むようにして収納している払拭用布地４は、伸縮性生地からなる小袋３の収縮力によって抱持されるように小袋３内に保持され、ストラップＡが上下方向に振動しても開口部3aから引き出される虞れはない。
【００２６】
次に、携帯電話Ｂの本体や表示画面等が汚れた場合には、図５、図６に示すように、小袋３内から払拭用布地４を引き出してこの払拭用布地４により汚れを拭き取る。詳しくは、小袋３の下向きに開口している開口部3aに指先を挿入して小袋３内に収納している払拭用布地４の下端部を摘まんで引っ張ると、払拭用布地４が小袋３の開口部3aから下方に引き出される。この際、払拭用布地４はその上側に向けている隅角部を小袋３の上向き底部の内底面に縫着しているので強く引っ張っても小袋３から抜け出ることはなく、小袋３にその上端部を一体に接続した状態で円滑に引き出すことができる。こうして引き出した払拭用布地４を拡げて携帯電話Ｂの本体や表示画面等の汚れを拭い取る。
【００２７】
払拭用布地４によって携帯電話Ｂの汚れを払拭したのち、この払拭用布地４を再び小袋３内に収納する。この際、払拭用布地４の上端側の隅角部が小袋３内にあってその上端部を小袋３の上端内面に縫着しているから、この上端側隅角部に連なる布地部分を順次、収束状態となるように縮めながら状態にしながら小袋３内に押し込むことにより、円滑に収納することができる。
【００２８】
また、小袋３や払拭用布地４が汚損した場合には、ストラップ紐１の下端連結具２から小袋３の上端部に設けている小径環部６を取り外して小袋３をストラップ紐１から分離させたのち、小袋３と払拭用布地４とを一体に洗濯すればよい。この際、小袋３の内外面を反転させれば、払拭用布地４の上端隅角部を縫着している小袋３の内底面がこの上端隅角部と共に外部に露出するから、小袋３の内面と共に払拭用布地４全体を綺麗に洗濯することができる。なお、以上の実施例においては、上記のように構成しているストラップＡを多機能携帯電話Ｂであるスマートフォンに装着しているが、その他の携帯電話や携帯電話以外の携帯用ゲーム機、カメラ等の携帯機器に装着して使用することができるのは勿論である。
【符号の説明】
【００２９】
Ａ  ストラップ
Ｂ  携帯電話
１  ストラップ紐
２  連結具
３  小袋３
3a  開口部
４  払拭用布地
６  小径環部
【図１】
2013128653.tif 000003
【図２】
2013128653.tif 000004
【図３】
2013128653.tif 000005
【図４】
2013128653.tif 000006
【図５】
2013128653.tif 000007
【図６】
2013128653.tif 000008